(57)【要約】【課題】移動通信システムで特定サービスネットワーク進入時にこれを移動通信端末機(MS)に知らせる方法及び該方法を実行するコンピュータ読取可能媒体。【解決手段】MSが公衆移動通信ネットワークと連動する私設移動通信ネットワークに進入すると、使用者に私設移動通信サービス領域であることを知らせる方法は、私設移動通信システムからブロードキャストされるシステムパラメータメッセージを受信すると、該メッセージ内の私設移動通信サービス領域であることを表す所定ビットを検査し、私設移動通信サービス領域内であるかを判断する段階、MSが、該領域内にいると、私設移動通信サービスを受けるための所定登録タイプを含む位置登録メッセージを私設移動通信システムに転送する段階、私設移動通信システムから登録可否に伴う私設移動通信サービス可能状態メッセージを受信する段階、該状態を使用者に知らせる段階を含む。【選択図】図１
2004104804.tif 000002
【特許請求の範囲】
【請求項１】
　移動通信端末機が公衆移動通信ネットワークと連動する私設移動通信ネットワークに進入する場合に、使用者に私設移動通信サービス可能領域であることを知らせる方法において、
　私設移動通信システムからブロードキャスティングされるシステムパラメータメッセージを受信すると、該システムパラメータメッセージ内の私設移動通信サービス領域であることを表す所定ビットを検査する段階と、
　私設移動通信サービス領域内であると、私設移動通信サービスを受けるための所定の登録タイプを含めた位置登録メッセージを私設移動通信システムに転送する段階と、
　私設移動通信システムから、私設移動通信システムの登録結果情報に基づいて私設移動通信サービスが可能である状態を表すメッセージを受信する段階と、
　私設移動通信サービスが可能である状態を使用者に知らせる段階と、を含むことを特徴とする方法。
【請求項２】
　私設移動通信サービスが可能である状態を表すメッセージは、該私設移動通信サービスが可能である状態を表す所定のフィールドを含むＦＮＭである請求項１記載の方法。
【請求項３】
　私設移動通信サービスが可能である状態を使用者に知らせる段階は、アイコン表示、音声案内、文字表示、振動、着メロのいずれか一つにより行われる請求項１記載の方法。
【請求項４】
　移動通信端末機が公衆移動通信ネットワークと連動する私設移動通信ネットワークに進入する場合に、使用者に私設移動通信ネットワークサービス可能領域であることを知らせる方法において、
　私設移動通信システムからブロードキャスティングされるシステムパラメータメッセージを受信すると、該システムパラメータメッセージ内の私設移動通信サービス領域であることを表す所定ビットを検査する段階と、
　私設移動通信サービス領域内であると、私設移動通信サービスを受けるための所定の登録タイプを含めた位置登録メッセージを私設移動通信システムに転送する段階と、
　私設移動通信システムから私設移動通信サービスが可能である状態を表すメッセージを受信する段階と、
　私設移動通信サービスが可能である状態を使用者に知らせる段階と、を含むことを特徴とする方法。
【請求項５】
　私設移動通信サービスが可能である状態を表すメッセージは、該移動通信サービスが可能である状態を表す所定のフィールドを含むＦＮＭである請求項４記載の方法。
【請求項６】
所定のフィールドは、IS-95 Information Records ElementのCHARiフィールドである請求項５記載の方法。
【請求項７】
　私設移動通信サービスが可能である状態を使用者に知らせる段階は、アイコン表示、音声案内、文字表示、振動、着メロのいずれか一つにより行われる請求項４記載の方法。
【請求項８】
　公衆移動通信ネットワークと連動する私設移動通信システムで私設移動通信サービス領域であることを移動通信端末機に知らせる方法において、
　私設移動通信サービス領域内の一つ以上の移動通信端末機に私設移動通信サービス領域であることを表す所定のビットを含めたシステムパラメータメッセージをブロードキャスティングする段階と、
　移動通信端末機から私設移動通信システムへ登録を要求する所定の登録タイプを含めた登録メッセージを受信する段階と、
　私設移動通信システムの加入者データベースを検索して移動通信端末機が登録されているか否かを判断し、その結果に応じて移動通信端末機を位置登録する段階と、
　私設移動通信サービスが可能である状態を表すメッセージを移動通信端末機に転送する段階と、を含むことを特徴とする方法。
【請求項９】
　私設移動通信サービスが可能である状態を表すメッセージは、該移動通信サービスが可能である状態を表す所定のフィールドを含むＦＮＭである請求項８記載の方法。
【請求項１０】
　所定フィールドは、IS-95 Information Records ElementのCHARiフィールドである請求項９記載の方法。
【請求項１１】
　私設移動通信サービスが可能である状態を知らせる段階をさらに含み、該段階は、アイコン表示、音声案内、文字表示、振動、着メロのいずれか一つにより行われる請求項８記載の方法。
【請求項１２】
　公衆移動通信ネットワークと連動する私設移動通信システムで移動通信端末機に私設移動通信サービス領域であることを知らせる方法において、
　私設移動通信サービス領域内の一つ以上の移動通信端末機に、私設移動通信サービス領域であることを表す所定ビットを含めたシステムパラメータメッセージをブロードキャスティングする段階と、
　移動通信端末機から私設移動通信システムへ登録を要求する所定の登録タイプを含めた登録メッセージを受信する段階と、
　登録メッセージを受信すると、移動通信端末機を位置登録する段階と、
　私設移動通信サービスが可能である状態を表すメッセージを移動通信端末機に転送する段階と、を含むことを特徴とする方法。
【請求項１３】
　私設移動通信サービスが可能である状態を表すメッセージは、該移動通信サービスが可能である状態を表す所定のフィールドを含むＦＮＭである請求項１２記載の方法。
【請求項１４】
　所定フィールドは、IS-95 Information Records ElementのCHARiフィールドである請求項１３記載の方法。
【請求項１５】
　私設移動通信サービスが可能である状態を知らせる段階をさらに含み、該段階は、アイコン表示、音声案内、文字表示、振動、着メロのいずれか一つにより行われる請求項１２記載の方法。
【請求項１６】
　一つ以上の移動通信端末機が移動通信ネットワークの特定領域内に進入する場合に、移動通信システムで移動通信端末機に移動通信ネットワークの特定領域であることを知らせる方法において、
　移動通信サービス領域内の移動通信端末機に特定領域内であることを表す所定ビットを含めたシステムパラメータメッセージをブロードキャスティングする段階と、
　移動通信端末機から移動通信システムへ登録を要求する所定の登録タイプを含めた登録メッセージを受信する段階と、
　移動通信システムの加入者データベースを検索して移動通信端末機が登録されているか否かを判断し、その結果によって移動通信端末機を位置登録する段階と、
　特定領域サービスが可能である状態を表すメッセージを移動通信端末機に転送する段階と、を含むことを特徴とする方法。
【請求項１７】
　特定領域のサービスが可能である状態を表すメッセージは、該特定領域のサービスが可能である状態を表す所定のフィールドを含むＦＮＭである請求項１６記載の方法。
【請求項１８】
　所定フィールドは、IS-95 Information Records ElementのCHARiフィールドである請求項１７記載の方法。
【請求項１９】
　移動通信端末機は、アイコン表示、音声案内、文字表示、振動、着メロのいずれか一つの方式により特定領域のサービスが可能である状態を知らせる請求項１６記載の方法。
【請求項２０】
　移動通信端末機が移動通信システムの特定領域内に進入する場合に、移動通信ネットワークの特定領域であることを使用者に知らせる方法において、
　移動通信端末機が、移動通信システムからブロードキャスティングされるシステムパラメータメッセージを受信すると、該システムパラメータメッセージ内の特定領域であることを表す所定ビットを検査し、特定領域のサービス領域内にいるかを判断する段階と、
　特定領域のサービス領域内であると、移動通信システムに登録を要求する所定の登録タイプを含めた登録メッセージを転送する段階と、
　移動通信システムから移動通信ネットワークの特定領域のサービスが可能である状態を表すメッセージを受信する段階と、
　特定領域のサービスが可能である状態を使用者に知らせる段階と、を含むことを特徴とする方法。
【請求項２１】
　特定領域のサービスが可能である状態を使用者に知らせる段階は、アイコン表示、音声案内、文字表示、振動、着メロのいずれか一つにより行われる請求項２０記載の方法。
【請求項２２】
　移動通信端末機が公衆移動通信ネットワークと連動する私設移動通信ネットワークに進入する場合に、使用者に私設移動通信サービスが可能である状態を知らせる方法が、
　私設移動通信システムからブロードキャスティングされるシステムパラメータメッセージを受信すると、該システムパラメータメッセージ内の私設移動通信サービス領域であることを表す所定ビットを検査する段階と、
　私設移動通信サービス領域内であると、私設移動通信サービスを受けるための所定の登録タイプを含めた位置登録メッセージを私設移動通信システムに転送する段階と、
　私設移動通信システムから私設移動通信サービスが可能である状態を表すメッセージを受信する段階と、
　私設移動通信サービスが可能である状態を使用者に知らせる段階と、を含み、該方法を行うためのコンピュータ実行可能命令を有することを特徴とするコンピュータ読取可能媒体。
【請求項２３】
　私設移動通信サービスが可能である状態を表すメッセージは、該私設移動通信サービスが可能である状態を表す所定のフィールドを含むＦＮＭである請求項２２記載のコンピュータ読取可能媒体。
【請求項２４】
　私設移動通信サービスが可能である状態を使用者に知らせる段階は、アイコン表示、音声案内、文字表示、振動、着メロのいずれか一つにより行われる請求項２３記載のコンピュータ読取可能媒体。
【請求項２５】
　移動通信端末機が公衆移動通信ネットワークと連動する私設移動通信ネットワーク内でマナーモード変換機能を実行する方法において、
　私設移動通信システムからブロードキャスティングされるシステムパラメータメッセージを受信すると、該システムパラメータメッセージ内の私設移動通信サービス領域内であることを表す所定ビットを検査する段階と、
　私設移動通信サービス領域内であると、私設移動通信サービスを受けるための所定の登録タイプを含む位置登録メッセージを私設移動通信システムに伝送する段階と、
　私設移動通信システムから私設移動通信サービスが可能である状態を表すメッセージを受信し、該メッセージ内にマナーモード変換機能の実行を指示するビットが含まれていると、マナーモード変換機能を実行する段階と、を含むことを特徴とする方法。
【請求項２６】
　私設移動通信サービスが可能である状態を表すメッセージは、該私設移動通信サービスが可能である状態を表す所定のフィールドを含むＦＮＭである請求項２５記載の方法。
【請求項２７】
　公衆移動通信ネットワークと連動可能な私設移動通信ネットワークのシステムが一つ以上の移動通信端末機にマナーモード変換機能を実行させる方法において、
　私設移動通信サービス領域内の一つ以上の移動通信端末機に私設移動通信サービス領域内であることを表す所定ビットを有するシステムパラメータメッセージをブロードキャスティングする段階と、
　移動通信端末機から私設移動通信システムへの登録を要求する所定の登録タイプを含む位置登録メッセージを受信する段階と、
　該位置登録メッセージを受信すると、移動通信端末機を位置登録し、マナーモード変換機能の実行を指示するビットを含む私設移動通信サービスが可能である状態を表すメッセージを伝送する段階と、を含むことを特徴とする方法。
【請求項２８】
　私設移動通信サービスが可能である状態を表すメッセージは、該私設移動通信サービスが可能である状態を表す所定のフィールドを含むＦＮＭである請求項２７記載の方法。
【請求項２９】
　一つ以上の移動通信端末機が移動通信ネットワークの特定領域内に進入する場合、移動通信システムが該一つ以上の移動通信端末機にマナーモード変換機能を実行させる方法において、
　移動通信サービス領域内の一つ以上の移動通信端末機に特定領域であることを表すビットを有するシステムパラメータメッセージをブロードキャスティングする段階と、
　移動通信端末機から特定領域の移動通信システムへの登録を要求する所定の登録タイプを含む登録メッセージを受信する段階と、
　移動通信システムの加入者データベースを検索して移動通信端末機が登録されているか否かを判断し、その結果に応じて移動通信端末機を位置登録し、マナーモード変換機能の実行を指示するビットを含む特定領域のサービスが可能である状態を表すメッセージを移動通信端末機に伝送する段階と、を含むことを特徴とする方法。
【請求項３０】
　特定領域のサービスが可能である状態を表すメッセージは、該特定領域のサービスが可能である状態を表す所定のフィールドを含むＦＮＭである請求項２９記載の方法。
【請求項３１】
　移動通信端末機が移動通信システムの特定領域内に進入する場合にマナーモード変換機能を実行する方法において、
　移動通信システムからブロードキャスティングされるシステムパラメータメッセージを受信すると、該システムパラメータメッセージ内の特定領域のサービス領域であることを表す所定ビットを検査して特定領域のサービス領域内であるかを判断する段階と、
　特定領域のサービス領域内であると、特定領域の移動通信システムへの登録を要求する所定の登録タイプを含む登録メッセージを伝送する段階と、
　移動通信システムから移動通信ネットワークの特定領域のサービスが可能である状態を表すメッセージを受信し、該メッセージ内にマナーモード変換機能の実行を指示するビットが含まれていると、マナーモード変換機能を実行する段階と、を含むことを特徴とする方法。
【請求項３２】
　特定領域のサービスが可能である状態を表すメッセージは、該特定領域のサービスが可能である状態を表す所定のフィールドを含むＦＮＭである請求項３１記載の方法。
【発明の詳細な説明】
【技術分野】
【０００１】
　本発明は、移動通信システムに関し、特に、公衆用移動通信ネットワークと連動可能な私設用移動通信システムにおいて移動通信端末機が私設用移動通信ネットワークに進入する場合に私設用移動通信サービスを移動通信端末機に提供する方法に関する。
【背景技術】
【０００２】
　一般に、移動通信ネットワークは、公衆用移動通信ネットワークと私設用(または、構内用)移動通信ネットワークとに区別され、両ネットワークは相互連動が不可能である。すなわち、移動通信システムは、公衆用の移動通信サービス或いは私設用の移動通信サービスのみが可能なようにそれぞれ設計されて具現されているため、各ネットワークに登録された移動通信端末機の加入者は自分が登録されたネットワークを介してのみサービスを受けることができる。
【０００３】
　したがって、公衆用移動通信ネットワークに登録された移動通信端末機の加入者は私設用移動通信サービスを受けることができず、私設用移動通信ネットワークに登録された移動通信端末機の加入者も同様に、公衆用移動通信サービスを受けることができなかった。その結果、移動通信端末機の加入者が一つの移動通信端末機で公衆用及び私設用移動通信サービスを同時に受けることのできるシステムが要望されている。仮に、公衆用及び私設用移動通信サービスを同時に提供可能なシステムが具現される場合には、呼着信時、着信した呼が公衆用移動通信ネットワークから発信された呼であるか、私設用移動通信ネットワークから発信された呼であるかを区別する方法が必要になる。
【０００４】
　そこで、近来、公衆用移動通信ネットワークに登録された移動通信端末機の加入者が私設用移動通信サービスを受けることができるようにする多くの研究が行われている。
【０００５】
　例えば、２０００年５月２４日付にて出願された本出願人によるこの韓国特許出願第２０００−０２８１７２号には、公衆用移動通信ネットワークに登録された移動通信端末機を構内無線私設ネットワークに登録して公衆用移動通信ネットワークサービスと共に私設用移動通信ネットワークサービスを受けることができるシステムが開示されている。
【０００６】
　しかし、公衆用移動通信ネットワークと私設用移動通信ネットワークの両方に登録されている移動通信端末機が公衆用移動通信ネットワークを使用している間に私設用移動通信ネットワークに進入すると、移動通信端末機の使用者は、自分が公衆用移動通信ネットワーク領域にいるのか又は私設用移動通信ネットワーク領域にいるのかどうかを確認しなければ、私設ネットワークへの進入を確認できなかった。
【発明の開示】
【発明が解決しようとする課題】
【０００７】
　本発明の目的は、公衆用及び私設用移動通信サービスを同時に提供可能なシステムにおいて、移動通信端末機が公衆用移動通信ネットワークから私設用移動通信ネットワークに移動する場合に、これを移動通信端末機の使用者に通知できる方法を提供することにある。
【０００８】
　また、本発明の他の目的は、公衆用移動通信ネットワークと連動可能な私設用移動通信システムにおいて、移動通信端末機が公衆用移動通信ネットワークから私設用移動通信ネットワークに移動する場合に、移動通信端末機に私設移動通信サービスを提供する方法を提供することにある。
【０００９】
　さらに、本発明の他の目的は、移動通信端末機が公衆移動通信ネットワークから私設移動通信ネットワークに移動する場合に、私設移動通信システムで移動通信端末機の着信通知モードを振動モードや無音モードに変換する方法を提供することにある。
【課題を解決するための手段】
【００１０】
　このような目的を達成するために、本発明は、移動通信端末機が公衆移動通信ネットワークと連動する私設移動通信ネットワークに進入する場合に、使用者に私設移動通信サービス領域であることを知らせる方法において、私設移動通信システムからブロードキャスティング(Broadcasting)されるシステムパラメータメッセージを受信すると、システムパラメータメッセージ内の私設移動通信サービス領域であることを表す所定ビットを検査する段階と、私設移動通信サービス領域内であると、私設移動通信サービスを受けるための所定の登録タイプ(registration type)を含めた位置登録メッセージを私設移動通信システムに転送する段階と、私設移動通信システムから、私設移動通信システムの登録結果情報に基づいて私設移動通信サービスが可能である状態を表すメッセージを受信する段階と、私設移動通信サービスが可能である状態を使用者に知らせる段階と、を含むことを特徴とする方法を提案する。
【００１１】
　この方法で、私設移動通信サービスが可能である状態を表すメッセージは、該私設移動通信サービスが可能である状態を表す所定のフィールドを含むＦＮＭ(Feature Notification Message)であるとよい。
【００１２】
　私設移動通信サービスが可能である状態を使用者に知らせる段階をさらに含み、この段階は、アイコン表示、音声案内、文字表示、振動、着メロ(着信メロディ)(ring tone)のいずれか一つにより行われることができる。
【００１３】
　また、本発明では、移動通信端末機が公衆移動通信ネットワークと連動する私設移動通信ネットワークに進入する場合に、使用者に私設移動通信ネットワークサービス可能領域であることを知らせる方法において、私設移動通信システムからブロードキャスティングされるシステムパラメータメッセージを受信すると、該システムパラメータメッセージ内の私設移動通信サービス領域であることを表す所定ビットを検査する段階と、私設移動通信サービス領域内であると、私設移動通信サービスを受けるための所定の登録タイプを含めた位置登録メッセージを私設移動通信システムに転送する段階と、私設移動通信システムから私設移動通信サービスが可能である状態を表すメッセージを受信する段階と、私設移動通信サービスが可能である状態を使用者に知らせる段階と、を含むことを特徴とする方法を提案する。
【００１４】
　この方法で、私設移動通信サービスが可能である状態を表すメッセージは、該移動通信サービスが可能である状態を表す所定のフィールドを含むＦＮＭであるとよい。
【００１５】
　所定のフィールドは、IS-95 Information Records ElementのCHARiフィールドであるとよい。
【００１６】
　私設移動通信サービスが可能である状態を使用者に知らせる段階をさらに含み、この段階は、アイコン表示、音声案内、文字表示、振動、着メロのいずれか一つにより行われることができる。
【００１７】
　さらに、本発明では、公衆移動通信ネットワークと連動する私設移動通信システムで私設移動通信サービス領域であることを移動通信端末機に知らせる方法において、私設移動通信サービス領域内の一つ以上の移動通信端末機に、私設移動通信サービス領域であることを表す所定のビットを含めたシステムパラメータメッセージをブロードキャスティングする段階と、移動通信端末機から私設移動通信システムへ登録を要求する所定の登録タイプを含めた登録メッセージを受信する段階と、私設移動通信システムの加入者データベースを検索して移動通信端末機が登録されているか否かを判断し、その結果に応じて移動通信端末機を位置登録する段階と、私設移動通信サービスが可能である状態を表すメッセージを移動通信端末機に転送する段階と、を含むことを特徴とする方法をも提案する。
【００１８】
　この方法で、私設移動通信サービスが可能である状態を表すメッセージは、該移動通信サービスが可能である状態を表す所定のフィールドを含むＦＮＭであるとよい。
【００１９】
　所定フィールドは、IS-95 Information Records ElementのCHARiフィールドであるとよい。
【００２０】
　私設移動通信サービスが可能である状態を知らせる段階は、アイコン表示、音声案内、文字表示、振動、着メロのいずれか一つにより行われることができる。
【００２１】
　さらにまた、本発明では、公衆移動通信ネットワークと連動する私設移動通信システムで移動通信端末機に私設移動通信サービス領域であることを知らせる方法において、私設移動通信サービス領域内の一つ以上の移動通信端末機に私設移動通信サービス領域であることを表す所定ビットを含めたシステムパラメータメッセージをブロードキャスティングする段階と、移動通信端末機から私設移動通信システムへ登録を要求する所定の登録タイプを含めた登録メッセージを受信する段階と、登録メッセージを受信すると、移動通信端末機を位置登録する段階と、私設移動通信サービスが可能である状態を表すメッセージを移動通信端末機に転送する段階と、を含むことを特徴とする方法をも提案する。
【００２２】
　この方法で、私設移動通信サービスが可能である状態を表すメッセージは、該移動通信サービスが可能である状態を表す所定のフィールドを含むＦＮＭであるとよい。
【００２３】
　所定フィールドは、IS-95 Information Records ElementのCHARiフィールドであるとよい。
【００２４】
　私設移動通信サービスが可能である状態を知らせる段階は、アイコン表示、音声案内、文字表示、振動、着メロのいずれか一つにより行われることができる。
【００２５】
　さらにまた、本発明では、一つ以上の移動通信端末機が移動通信ネットワークの特定領域内に進入する場合に、移動通信システムで移動通信端末機に移動通信ネットワークの特定領域であることを知らせる方法において、移動通信サービス領域内の移動通信端末機に特定領域内であることを表す所定ビットを含めたシステムパラメータメッセージをブロードキャスティングする段階と、移動通信端末機から移動通信システムへ登録を要求する所定の登録タイプを含めた登録メッセージを受信する段階と、移動通信システムの加入者データベースを検索して移動通信端末機が登録されているか否かを判断し、その結果によって移動通信端末機を位置登録する段階と、特定領域サービスが可能である状態を表すメッセージを移動通信端末機に転送する段階と、を含むことを特徴とする方法を提案する。
【００２６】
　この方法で、特定領域のサービスが可能である状態を表すメッセージは、該特定領域のサービスが可能である状態を表す所定のフィールドを含むＦＮＭであるとよい。
【００２７】
　所定フィールドは、IS-95 Information Records ElementのCHARiフィールドであるとよい。
【００２８】
　移動通信端末機は、アイコン表示、音声案内、文字表示、振動、着メロのいずれか一つの方式により特定領域のサービスが可能である状態を知らせることができる。
【００２９】
　さらにまた、本発明では、移動通信端末機が移動通信システムの特定領域内に進入する場合に、移動通信ネットワークの特定領域であることを使用者に知らせる方法において、移動通信端末機が、移動通信システムからブロードキャスティングされるシステムパラメータメッセージを受信すると、該システムパラメータメッセージ内の特定領域であることを表す所定ビットを検査し、特定領域のサービス領域内にいるかを判断する段階と、特定領域のサービス領域内であると、移動通信システムに登録を要求する所定の登録タイプを含めた登録メッセージを転送する段階と、移動通信システムから移動通信ネットワークの特定領域のサービスが可能である状態を表すメッセージを受信する段階と、特定領域のサービスが可能である状態を使用者に知らせる段階と、を含むことを特徴とする方法も提案する。
【００３０】
　この方法で、特定領域のサービスが可能である状態を使用者に知らせる段階は、アイコン表示、音声案内、文字表示、振動、着メロのいずれか一つにより行われることができる。
【００３１】
　さらにまた、本発明では、移動通信端末機が公衆移動通信ネットワークと連動する私設移動通信ネットワークに進入する場合に、使用者に私設移動通信サービスが可能である状態を知らせる方法が、私設移動通信システムからブロードキャスティングされるシステムパラメータメッセージを受信すると、該システムパラメータメッセージ内の私設移動通信サービス領域であることを表す所定ビットを検査する段階と、私設移動通信サービス領域内であると、私設移動通信サービスを受けるための所定の登録タイプを含めた位置登録メッセージを私設移動通信システムに転送する段階と、私設移動通信システムから私設移動通信サービスが可能である状態を表すメッセージを受信する段階と、私設移動通信サービスが可能である状態を使用者に知らせる段階と、を含み、この方法を行うためのコンピュータ実行可能命令を有することを特徴とするコンピュータ読取可能媒体を提供する。
【００３２】
　私設移動通信サービスが可能である状態を表すメッセージは、該私設移動通信サービスが可能である状態を表す所定のフィールドを含むＦＮＭであるとよい。
【００３３】
　私設移動通信サービスが可能である状態を使用者に知らせる段階は、アイコン表示、音声案内、文字表示、振動、着メロのいずれか一つにより行われることができる。
【００３４】
　さらにまた、本発明では、移動通信端末機が公衆移動通信ネットワークと連動する私設移動通信ネットワーク内でマナーモード変換機能を実行する方法をも提供する。すなわち、この方法は、私設移動通信システムからブロードキャスティングされるシステムパラメータメッセージを受信すると、該システムパラメータメッセージ内の私設移動通信サービス領域内であることを表す所定ビットを検査する段階と、私設移動通信サービス領域内であると、私設移動通信サービスを受けるための所定の登録タイプを含む位置登録メッセージを私設移動通信システムに伝送する段階と、私設移動通信システムから私設移動通信サービスが可能である状態を表すメッセージを受信し、該メッセージ内にマナーモード変換機能の実行を指示するビットが含まれていると、マナーモード変換機能を実行する段階と、を含むとよい。
【００３５】
　この方法で、私設移動通信サービスが可能である状態を表すメッセージは、該私設移動通信サービスが可能である状態を表す所定のフィールドを含むＦＮＭであるとよい。
【００３６】
　さらにまた、本発明では、公衆移動通信ネットワークと連動可能な私設移動通信ネットワークのシステムが一つ以上の移動通信端末機にマナーモード変換機能を実行させる方法において、私設移動通信サービス領域内の一つ以上の移動通信端末機に私設移動通信サービス領域内であることを表す所定ビットを有するシステムパラメータメッセージをブロードキャスティングする段階と、移動通信端末機から私設移動通信システムへの登録を要求する所定の登録タイプを含む位置登録メッセージを受信する段階と、該位置登録メッセージを受信すると、移動通信端末機を位置登録し、マナーモード変換機能の実行を指示するビットを含む私設移動通信サービスが可能である状態を表すメッセージを伝送する段階と、を含むことを特徴とする方法を提供する。
【００３７】
　この方法で、私設移動通信サービスが可能である状態を表すメッセージは、該私設移動通信サービスが可能である状態を表す所定のフィールドを含むＦＮＭであるとよい。
【００３８】
　さらにまた、本発明では、一つ以上の移動通信端末機が移動通信ネットワークの特定領域内に進入する場合、移動通信システムが該一つ以上の移動通信端末機にマナーモード変換機能を実行させる方法において、移動通信サービス領域内の一つ以上の移動通信端末機に特定領域であることを表すビットを有するシステムパラメータメッセージをブロードキャスティングする段階と、移動通信端末機から特定領域の移動通信システムへの登録を要求する所定の登録タイプを含む登録メッセージを受信する段階と、移動通信システムの加入者データベースを検索して移動通信端末機が登録されているか否かを判断し、その結果に応じて移動通信端末機を位置登録し、マナーモード変換機能の実行を指示するビットを含む特定領域のサービスが可能である状態を表すメッセージを移動通信端末機に伝送する段階と、を含むことを特徴とする方法も提供する。
【００３９】
　この方法で、特定領域のサービスが可能である状態を表すメッセージは、該特定領域のサービスが可能である状態を表す所定のフィールドを含むＦＮＭであるとよい。
【００４０】
　さらにまた、本発明では、移動通信端末機が移動通信システムの特定領域内に進入する場合にマナーモード変換機能を実行する方法において、移動通信システムからブロードキャスティングされるシステムパラメータメッセージを受信すると、該システムパラメータメッセージ内の特定領域のサービス領域であることを表す所定ビットを検査して特定領域のサービス領域内であるかを判断する段階と、特定領域のサービス領域内であると、特定領域の移動通信システムへの登録を要求する所定の登録タイプを含む登録メッセージを伝送する段階と、移動通信システムから移動通信ネットワークの特定領域のサービスが可能である状態を表すメッセージを受信し、該メッセージ内にマナーモード変換機能の実行を指示するビットが含まれていると、マナーモード変換機能を実行する段階と、を含むことを特徴とする方法をも提供する。
【００４１】
　この方法で、特定領域のサービスが可能である状態を表すメッセージは、該特定領域のサービスが可能である状態を表す所定のフィールドを含むＦＮＭであるとよい。
【発明の効果】
【００４２】
　本発明によれば、移動通信端末機が無線私設ネットワークに進入する時点を正確に認識でき、これにより、移動通信端末機の使用者が特定のサービス(構内無線インターネットサービス)などを容易に利用できるようにする利点がある。
【００４３】
　また、本発明によれば、移動通信端末機が公衆移動通信ネットワークから私設移動通信ネットワークに移動する場合に、私設移動通信システムで移動通信端末機の着信通知モードをマナーモード、例えば、振動モードや無音モードに変換することができるようになる。
【発明を実施するための最良の形態】
【００４４】
　以下、本発明の好ましい一実施形態を添付図面を参照しつつ詳細に説明する。図面中、同一の構成要素には可能なかぎり同一番号及び符号を共通使用し、周知技術については適宜説明を省略するものとする。
【００４５】
　本発明の一実施形態において特定の地域又は建物に制限される私設ネットワークシステムは、あらかじめ登録された移動通信端末機に無線私設ネットワークサービスを提供することができる。すなわち、無線私設ネットワークサービスは公衆ネットワークサービスとは別個に、あらかじめ登録された移動通信端末機にのみ提供される。
【００４６】
　図１は、本発明の一実施形態が適用される公衆用及び私設用移動通信サービスの概念を説明するためのネットワーク構成図である。まず、図１には、公衆用及び私設用移動通信サービスを同時に提供するための公衆用及び私設用共有通信サービス領域(area)である公衆/私設共有セル領域(PUBLIC/PRIVATE SHARED CELL AREA)１４、公衆/私設通信サービス装置(PUBLIC/PRIVATE COMMUNICATION SERVICE UNIT)１２を示している。公衆/私設共有セル領域１４は、特定集団への通信サービスを提供するのに有益となるように定められるとよい。例えば、特定会社が一つのビルを使っているなら、そのビルの属する領域を公衆/私設共有セル領域１４と定めることができる。このような公衆/私設共有セル領域１４は、事前に公衆用移動通信サービス事業者との協議下で定めるとよい。これは、公衆/私設共有セル領域１４にある私設基地局(private ＢＴＳ(Base station Transceiver Subsystem)：８−ｋ)を公衆用移動通信システムの観点から見た場合に公衆基地局のように認識させるようにするためである。本明細書では公衆用移動通信システムに属している基地局(ＢＴＳ)、つまり、図１に例示したＢＴＳ ６−１，…，６−ｋ，８−１と公衆/私設共有セル領域１４にある私設基地局８−２，…，８−ｋとを区別するために、私設基地局８−２，…，８−ｋを“ｐＢＴＳ(private ＢＴＳ)”と称する。ｐＢＴＳ８−ｋは、公衆/私設共有セル領域１４に属している移動通信端末機（ＭＳ：Mobile station）２４と無線通信パスを構成し、ＭＳ２４に関する無線資源を管理する機能を行う。また、ｐＢＴＳ８−ｋは公衆/私設通信サービス装置１２を介して公衆用移動通信システムの基地局制御局（ＢＳＣ：Base Station Controller）、すなわち、図１に例示したＢＳＣ４−ｍと接続される。公衆/私設通信サービス装置１２は公衆用移動通信システムのＢＳＣ４−ｍの他、ＰＳＴＮ/ＩＳＤＮ(Public Switching Telephone Network/Integrated Services Digital Network)１６、ＩＰネットワーク(Internet Protocol Network)１８と接続される。公衆/私設通信サービス装置１２は、公衆用移動通信サービス及び私設用移動通信サービスが公衆/私設共有セル領域１４にある複数のＭＳに、例えば、図１のＭＳ２４に選択的に提供されるように移動通信サービスを行う。ＭＳ２４が私設用移動通信サービスを受けるために公衆/私設通信サービス装置１２に登録されている場合、ＭＳ２４は私設用移動通信サービスと同様に公衆用移動通信サービスを受けることができる。しかし、ＭＳ２４に対する私設用移動通信サービス登録が公衆/私設通信サービス装置１２に記録されていないと、ＭＳ２４は公衆用移動通信サービスのみ受けることができる。また、公衆/私設通信サービス装置１２は、ＰＳＴＮ/ＩＳＤＮ１６及びＩＰネットワーク１８との有線通信サービスも行う。
【００４７】
　一方、公衆用移動通信ネットワークは、通常、ＰＬＭＮ(Public Land Mobile Network)と呼ばれ、その公衆用移動通信システムの構成は、図１に例示したように、複数個の移動交換局(ＭＳＣ：Mobile Switching Center)２−１，…，２−ｎ、複数個のＢＳＣ４−１，…，４−ｍ、複数個のＢＴＳ６−１，…，６−ｋ、８−１，…，８−ｋ、ＭＳ２０、２２、及び、ホーム位置登録器/訪問者位置登録器（ＨＬＲ/ＶＬＲ：Home Location Register/Visitor Location Register）１０、を含む。複数個のＭＳＣ ２−１，…，２−ｎのそれぞれには複数個のＢＳＣ ４−１，…，４−ｍが接続され、複数個のＢＳＣ ４−１，…，４−ｍのそれぞれには複数個のＢＴＳ ６−１，…，６−ｋ、８−１，…，８−ｋが接続される。特に、ｐＢＴＳ ８−ｋは、本発明の一実施形態に従い公衆用移動通信システムのＢＳＣ４−ｍに接続された複数個のＢＴＳ８−１，…，８−ｋの一つとして機能する。複数個のＭＳＣ２−１，…，２−ｎのそれぞれは、自分に接続された複数個のＢＳＣ(例えば、４−１，…，４−ｍ)をＰＳＴＮ/ＩＳＤＮや公衆用移動通信ネットワーク内の他のＭＳＣと接続するように制御する。複数個のＢＳＣ４−１，…，４−ｍのそれぞれは、無線リンク制御、ハンドオフ機能を行い、複数個のＢＴＳ ６−１，…，６−ｋ、８−１，…，８−ｋは自分の通信サービス領域、つまり、自分のセル領域に属しているＭＳ２０、２２、２４と共に無線通信パスを構成し、無線資源を管理する機能を行う。ＨＬＲ/ＶＬＲ１０におけるＨＬＲは加入者位置登録機能及び加入者の情報を貯蔵するデータベースとして機能し、ＶＬＲは複数個のＭＳＣ２−１，…，２−ｎのうち対応するＭＳＣが担当するセル領域に存在するＭＳの情報を一時的に貯蔵するデータベースとして機能する。ＭＳが他のＭＳＣが管理するセル領域に移動すると、該当ＶＬＲに貯蔵された情報は削除される。本明細書では、公衆/私設共有セル領域１４と区別するために公衆用移動通信システムのＢＴＳ６−１，…，６−ｋ、８−１，…，８−ｋの通信サービス領域を“公衆専用セル領域(PUBLIC DEDICATED CELL AREA)”と呼ぶ。例えば、図１では公衆用移動通信システムのＢＴＳ６−１，…，６−ｋ、８−１，…，８−ｋのうち、ＢＴＳ８−１の通信サービス領域を公衆専用セル領域１５として表記した。通常、公衆専用セル領域１５は、特定集団の通信サービスを提供するのに有益となるように定められた公衆/私設共有セル領域１４と比べて非常に広い。
【００４８】
　図２に、本発明の一実施形態に従う私設用移動通信システムの公衆/私設通信サービス装置１２とｐＢＴＳ ８−ｋのより具体的な構成を示す。
【００４９】
　まず、図２を参照すれば、私設用移動通信システムは、制限された領域(地域または建物)の中でＭＳ４０の加入者に無線私設ネットワークサービスを提供する。私設用移動通信システムは、ｐＢＴＳ８−２、８−ｋ、公衆用移動通信システムのＢＳＣとＭＳＣと同様の機能を私設用移動通信ネットワークで行うｐＢＳＣ/ｐＭＳＣ５０及びｐＨＬＲ(private Home Location Register)３０を備える公衆/私設通信サービス装置１２、を含む。ｐＢＳＣ/ｐＭＳＣ５０は、ＢＴＭＲ(BTS Message Router)５２及びｐＭＳＣ５４を含む。ＢＴＭＲ５２は、公衆用移動通信システムのＢＳＣに対応する機能、すなわち、無線リンク制御、ハンドオフ機能を行う。具体的に説明すると、ＢＴＭＲ５２は、ｐＢＴＳ８−２、８−ｋで処理すべき全てのメッセージに対するパス指定を担当するモジュールであって、内部のルータテーブルを参照してＭＳ４０の着/発呼サービス(公衆用、私設用)のための制御(シグナル)メッセージパスを指定し、ｐＢＴＳ８−２、８−ｋのメンテナンスサービスのためのメッセージパスを指定する。また、ＢＴＭＲ５２はｐＨＬＲ３０と通信する。ｐＭＳＣ５４は、公衆用移動通信ネットワークと私設用移動通信ネットワークサービスを支援するに当たって既存の公衆用移動通信ネットワークのＭＳＣに対応する役割を果たす。具体的に説明すると、ｐＭＳＣ５４は、加入者のサービス要求を分析し、これを既存の公衆用移動通信ネットワークサービスで処理するか又は私設用移動通信ネットワークサービスで処理するかに対する基本的な戦略と、これに対する処理手順について定義する。ｐＭＳＣ５４は、既存の公衆用ＭＳＣとは異なり、自分が直接スイッチング機能を行うことができない。つまり、ｐＭＳＣ５４はソフトウェアブロックであるので、公衆用ＭＳＣのようなスイッチがない。したがって、私設用移動通信サービスを提供する場合、本発明の一実施形態による公衆/私設通信サービス装置１２は私設交換機(図示せず)のスイッチを利用する。ｐＨＬＲ３０は私設用移動通信サービス登録された加入者情報、私設移動通信加入者の位置登録情報、各種機能サービスのための情報を管理するモジュールである。このｐＨＬＲ３０には様々な情報を貯蔵するデータベースが接続されている。ＭＳ４０は該当私設ネットワークサービスを受けるためにあらかじめ私設用移動通信システムに登録されていることが必要である。
【００５０】
　図２を引き続き参照すれば、本発明の一実施形態による私設用移動通信システムのｐＢＳＣ/ｐＭＳＣ５０は、ページングチャネルメッセージを利用して該当私設サービス領域にあるＭＳ４０に私設移動通信サービスを提供している事実を知らせる。具体的に説明すると、私設用移動通信システムはページングチャネルメッセージの一つであるシステムパラメータメッセージ(System Parameter MSG)から特定ビットを選択してブロードキャスティングする。この場合、私設用移動通信システムは、システムパラメータメッセージのうち使用されていない予備(reserved)ビットを、移動通信端末機が特定ネットワーク内にあることを知らせるようにセットすることができる。すなわち、私設用移動通信システムは、通信規格で定義されていないシステムパラメータメッセージの空ビット(empty bits)を利用して私設ネットワーク領域であることを表し、このシステムパラメータメッセージをブロードキャスティングする。
【００５１】
　このような本発明の一実施形態に従うシステムパラメータメッセージのフォーマットを表１に示す。
【００５２】
【表１】
2004104804.tif 000003
【００５３】
　表１に示したように、私設用移動通信システムは、システムパラメータメッセージにおいて本発明の一実施形態に従って“base_id:449”の上位３番目のビットの値を１にセッティングし（11<1>000001）、このシステムパラメータメッセージをブロードキャスティングする。ＭＳ４０が私設ネットワークサービス可能領域内に進入すると、移動通信システムからブロードキャスティングされるシステムパラメータメッセージを受信する。そして、ＭＳ４０は、受信したシステムパラメータメッセージの中から特定ネットワーク内にいることを知らせるためのセット可能ビット(settable bit)を検索し、このセット可能ビットを見つけ出した場合に私設ネットワーク内にいることを判断することができる。
【００５４】
　このようにシステムパラメータメッセージは本発明の一実施形態に従って特定ネットワークサービス可能領域内にいることを知らせるためのセット可能ビットを含んでいるが、このようなビットは、前述のような“base_id”の上位３番目のビットに限定されるものではなく、システムパラメータメッセージ内の任意の空ビットに設定されることは当業者にとって理解可能であろう。
【００５５】
　一方、ＭＳ４０が私設ネットワークサービス可能領域内にいると判断した場合、無線私設ネットワークのｐＢＴＳ８−２、８−ｋにアクセスチャネルを介して登録メッセージを転送する。すなわち、ＭＳ４０は登録メッセージの“location registration type”フィールドに現在の登録タイプ(registration type)を表示して、これをｐＢＴＳ８−２、８−ｋに転送する。下記の表２に、本発明の一実施形態に従う登録メッセージの“location registration type”フィールドを示す。
【００５６】
【表２】
2004104804.tif 000004
【００５７】
　このような登録メッセージは、１９９９年１１月５日付に発表された３Ｇ(Generation)-ＩＯＳ(Inter-Operability Specification)によれば、６個の登録タイプを持つ。また、登録メッセージは、本発明の一実施形態に従いN_ZONEという登録タイプを持つ。このN_ZONE登録タイプは、ＭＳ４０が私設用移動通信ネットワーク内に存在し、それによる登録を要求することを表す。
【００５８】
　すなわち、ＭＳ４０は、私設用移動通信システムからシステムパラメータメッセージを受信すると、自分が私設用移動通信ネットワーク内にいることを認識することができる。ＭＳ４０が私設用移動通信ネットワーク内への進入を認識すると、N_ZONE登録タイプを含む登録メッセージを私設用移動通信システムに転送する。つまり、ＭＳ４０は、私設移動通信サービス領域内にあることを認識すると私設用移動通信システムに私設移動通信サービスを要求するためのN_ZONE登録タイプを含む登録メッセージを転送する。本発明の一実施形態によるN_ZONE登録タイプは、通信規格で提案している登録タイプが使用しない識別子(Element Identifier)を使用する。このような識別子は、本発明を適用可能なあらゆる通信ネットワークにおいて任意に指定可能であることは当業者にとって理解可能である。
【００５９】
　一方、ＭＳ４０は、私設用移動通信システムからシステムパラメータメッセージを受信すると、受信したシステムパラメータメッセージの中から特定ネットワーク内にいることを知らせるセット可能ビットを検索し、このセット可能ビットを見つけ出した場合に私設ネットワーク内にいることを判断する。したがって、ＭＳ４０はN_ZONE登録タイプを含む登録メッセージを転送するための制御フローを持つ所定プログラムを格納する。かかる制御フローをもつプログラムを容易にソフトウェアでＭＳに具現可能であることは当業者にとって明白であろう。
【００６０】
　再び図２を参照すれば、私設用移動通信システムのｐＢＳＣ/ｐＭＳＣ５０は、ＭＳ４０から登録メッセージを受信すると、そのＭＳ４０が私設ネットワークサービスを受けることができるか否か判断する。すなわち、私設用移動通信システムは、登録メッセージを送信したＭＳ４０が自分のシステムに登録されているか否か検査する。前述の如く、ＭＳ４０はあらかじめ私設用移動通信システムに登録されていないと該当私設ネットワークサービスを受けることができない。
【００６１】
　ＭＳ４０が私設移動通信システムに登録されていると、私設用移動通信システムは再びページングチャネルメッセージを通じてＭＳ４０に命令又は情報(サービス可能の可否など)を提供できる。本発明の一実施形態による私設用移動通信システムは下記の表３に表したＦＮＭ(Feature Notification Message)の所定フィールドをセットし、該当ＭＳが私設ネットワークサービスを受けることができることを表すことができる。
【００６２】
【表３】
2004104804.tif 000005
【００６３】
　ＦＮＭは、移動通信システムがＭＳ４０に認証確認及びそれによるサービス情報を提供するためのメッセージである。本発明の一実施形態による私設用移動通信システムはＦＮＭのIS-95(Telecommunications Industry Association/Electronic Industries Association(TIA/EIA) Interim Standard IS-95 series)Information Records ElementのCHARiフィールドを利用してＭＳ４０が無線私設ネットワークサービスを受けることのできる領域にあることを知らせる。これにより、ＭＳ４０は使用者に無線私設ネットワークサービス領域にあることを知らせることができる。表４に、ＦＮＭのIS-95 Information Records Elementフィールドを示す。
【００６４】
【表４】
2004104804.tif 000006
【００６５】
　表４に示したように、私設用移動通信システムは、ＦＮＭでIS-95 Information Records ElementsのCHARiフィールドをOxFFにセッティングしＭＳ４０に転送する。CHARiフィールドは、私設用移動通信システムのｐＢＳＣ/ｐＭＳＣ５０からＭＳ４０に所定の情報を提供するように通信規格で定義された予備(reserved)フィールドである。本発明の一実施形態による私設用移動通信システムは予備フィールドを利用してＭＳ４０に無線私設ネットワークサービスを受けることができることを知らせる。
【００６６】
　これにより、ＭＳ４０は、受信したＦＮＭのIS-95 Information Records ElementsのInformation Record Contents(CHARi)フィールドを検査してCHARiフィールドにOxFFがセットされていると判断すると、無線私設ネットワークサービス可能領域内にいると判断し、これをＭＳ４０の使用者に知らせる。このＭＳ４０が無線私設ネットワークサービス可能領域内にいることを知らせる方式は、アイコン表示、音声案内、文字表示など様々なものを自由に設定することができる。
【００６７】
　一方、本発明の他の実施形態によれば、私設移動通信システムはＦＮＭの所定フィールドに振動モード変換命令を提供し、ＭＳが私設移動通信ネットワークに進入すると自動的に振動モードに変換するように制御させることができる。また、私設移動通信システムは、ＦＮＭの所定フィールドを通じてＭＳが私設専用無線サービスを受けるようにすることもできる。
【００６８】
　これを具体的に説明すると、私設移動通信システムのｐＢＴＳ/ｐＭＳＣ５０は、私設移動通信ネットワーク領域７０にブロードキャスティングするシステムパラメータメッセージに特定ビットをセットする。システムパラメータメッセージを受信したＭＳ４０は、自分が私設ネットワーク領域内にあることを認識し私設移動通信システムに登録メッセージを転送する。すると、私設ネットワーク移動通信システムは認証確認及びそれによるサービス情報を提供するためのメッセージをＭＳ４０に転送する。この場合、振動又は無音モード変換命令をメッセージに含めて転送する。この振動又は無音モード変換命令は、例えば、ＦＮＭのIS-95 Information Records Fieldにあらかじめ定義された値をセッティングして表すことができる。
【００６９】
　したがって、ＭＳ４０は、私設移動通信システムからマナーモード変換命令を受信すると同時に、着信通知モードを振動又は無音モードのようなマナーモードに変換する。この場合、ＭＳ４０は、ＦＮＭのIS-95 Information Records Fieldにあらかじめ定義された値がセッティングされていると、自動的に着信通知モードをマナーモードに変換する。
【００７０】
　ここで、ＭＳ４０が、私設用移動通信システムから受信するＦＮＭよりマナーモード、例えば、振動モードや無音モードに変換するためのセット可能ビットを検索し、その結果に応じて着信通知モードをマナーモードに変換する制御フローを持つ所定プログラムを格納していることは当業者にとって明白であろう。
【００７１】
　一方、ＦＮＭは、前述したように、ＦＮＭのIS-95 Information Records ElementsのInformation Record Contents(CHARi)フィールドを利用して無線私設ネットワークサービス可能領域であることを表したり、所定情報や所定機能を定義しているが、本発明はこれに限定されるものではなく、ＦＮＭの任意の他のフィールドを本発明が適用される通信ネットワークに従って自由に定義し又は使用し得ることは当業者にとって理解可能であろう。
【００７２】
　図３は、本発明の一実施形態に従って、公衆用及び私設用移動通信サービスを同時に提供可能なシステムでＭＳが公衆用移動通信ネットワークから私設用移動通信ネットワークに進入する場合に、これを自動的にＭＳに知らせるための制御過程を示したフローチャートである。
【００７３】
　図２及び図３を参照すれば、私設用移動通信システムのｐＢＳＣ/ｐＭＳＣ５０は、段階１０２(BROADCAST SYSTEM PARAMETER MESSAGE)で、ページングチャネルメッセージの一つであるシステムパラメータメッセージにおいて特定ビットをセットしてブロードキャスティングする。つまり、私設用移動通信システムは、システムパラメータメッセージで使用されていない予備ビットをセットして私設ネットワークにブロードキャスティングする。ＭＳ４０は、システムパラメータメッセージを受信すると、システムパラメータメッセージ内の私設ネットワークに進入したことを表すビットを検索し、該当ビットがセットされている場合には段階１０４(DETERMINE PRIVATE WIRELESS NETWORK SERVICE AREA)で、私設移動通信ネットワーク内のｐＢＴＳ８−２、８−Ｋにおけるサービス領域であること判断する。次いで、ＭＳ４０は、段階１０６(TRANSMIT LOCATION REGISTRATION REQUEST MESSAGE FOR PRIVATE WIRELESS NETWORK SERVICE)で、位置登録メッセージをｐＢＴＳ８−２、８−ｋに転送する。現在アップロードする位置登録のタイプは、既存の位置登録メッセージに定義されている複数のフィールドのうち、Regi_typeフィールドに表示される。本発明の一実施形態に従って、ＭＳ４０は既存の位置登録メッセージに新規に定義された登録タイプを付加して、これをｐＢＴＳに転送する。
【００７４】
　ここで、ＭＳ４０がアクセスチャネルを利用して端末機情報をアップロードするのは、複数の私設移動通信ネットワーク領域がある場合に加入者認証を行うためである。例えば、私設無線ネットワークサービスが異なる領域で提供されている場合、Ａ領域の加入者はＢ領域では無線私設ネットワークサービスを受けることができない。
【００７５】
　私設用移動通信システムのｐＢＳＣ/ｐＭＳＣ５０は、ＭＳ４０から登録メッセージを受信すると、段階１０８(REQUEST CORRESPONDING SUBSCRIBER INFORMATION)で、ｐＨＬＲ３０に該当加入者に対する情報を要請する。すると、ｐＨＬＲ３０は段階１１０(SEARCH SUBSCRIBER DATABASE AND TRANSMIT SEARCHED RESULT)で加入者データベースを検索しその結果をｐＢＳＣ/ｐＭＳＣ５０に伝達する。すると、ｐＢＳＣ/ｐＭＳＣ５０は、段階１１２(PRIVATE WIRELESS NETWORK SERVICE REGISTRATION SUBSCRIBER?)で、該当加入者が私設移動通信ネットワークに登録された加入者であるか検査し、登録された加入者ならば段階１１４(FNM(Feature Notification Message) TRANSMISSION)で、ＭＳ４０にＦＮＭの所定フィールドをセットして転送する。しかし、該当加入者が私設移動通信ネットワークに登録された加入者でなければと、ｐＢＳＣ/ｐＭＳＣ５０は段階１２０(PROVIDE PUBLIC WIRELESS NETWORK SERVICE)で一般の公衆無線ネットワークサービスを提供する。一方、ＦＮＭを受信したＭＳ４０は、段階１１６(DISPLAY PRIVATE WIRELESS NETWORK SERVICE AREA)で、ＦＮＭ内の所定フィールドを検索し、該当私設移動通信ネットワークサービスが可能であると判断すると、これをＭＳの使用者に通知する。この使用者への通知方式には、前述したようにアイコン表示、音声案内、文字表示など様々なものがある。
【００７６】
　つまり、私設移動通信システムはＦＮＭの所定フィールドを利用してＭＳに無線私設ネットワークサービス可能領域であることを知らせると、ＭＳはアイコン表示、音声案内、文字表示などの様々な方式で使用者に無線私設ネットワーク領域内にいることを知らせることができる。
【００７７】
　本発明の他の一実施形態に従えば、ＦＮＭの所定フィールドを利用して他の情報又は他の機能を定義して使用することもできる。すなわち、本発明の他の実施形態に従って私設移動通信システムは認証したＭＳに無線私設ネットワークから提供される様々なサービスを容易に提供することができる。例えば、私設移動通信システムは、ＦＮＭの所定フィールドに振動モード変換命令を提供し、ＭＳが私設移動通信ネットワークに進入すると自動的に振動モードに変換するように制御できる。また、私設移動通信システムはＦＮＭの所定フィールドを通じてＭＳが私設専用無線ネットワークに接続できるようにすることもできる。
【００７８】
　図４は、本発明の一実施形態によるＭＳのブロック構成図である。
【００７９】
　図４を参照すれば、制御部３４０は、ＭＳの全般的な制御動作を行う。また、制御部３４０は、本発明の一実施形態に従い私設移動通信システムがブロードキャスティングしたシステムパラメータメッセージを受信する場合、私設移動通信システムに無線私設ネットワークサービスのための位置登録メッセージを転送するように制御する。そして、制御部３４０は、私設移動通信システムからＦＮＭを受信すると、所定フィールドを検索し無線私設ネットワークサービス可能領域であることが判断できる。さらに、ＭＳの制御部３４０は、無線私設ネットワークサービス可能領域にあることを判断すると、これを使用者に知らせる。ＭＳ４０の使用者は、無線私設ネットワークサービス可能領域であることを知らせる方式をアイコン表示、音声案内、文字表示など様々に設定することができる。ＭＳ４０の制御部３４０は、設定された方式に従って無線私設ネットワークサービス可能領域にいることを使用者に知らせる。
【００８０】
　また、本発明の他の実施形態によれば、ＭＳの制御部３４０は私設移動通信システムからＦＮＭを受信すると、該ＦＮＭから所定の命令を行うようにセットできるあらゆるビットを検索し、その設定された値に応じた動作を行う。
【００８１】
　ＲＦ(Radio Frequency)部３００は、制御部３４０の制御下に音声及び文字データと制御データの送受信を制御する。インターフェース部３２０は、多数の数字キー及びファンクションキーを備えており、使用者が押すキーに対応するキー入力データを制御部３４０に出力する。これら数字キー及びファンクションキーはソフトキーで具現可能である。表示部３６０は、制御部３４０の制御下に各種メッセージなど、例えば、図示していないＬＣＤ(Liquid Crystal Display)上に表示する。そして、本発明の一実施形態に従う表示部３６０は制御部３４０の制御の下に無線私設ネットワークサービス可能領域であることを、例えば、アイコン又は文字などで表示して使用者に知らせる。
【００８２】
　メモリ３８０は、ＭＳの動作制御時に必要なプログラムデータを貯蔵しているプログラムメモリや、制御時又は使用者により生成されるデータを貯蔵するデータメモリなどを含む。一方、ＭＳ４０は、図４には図示しなかったが、音声処理部及びスピーカーなどを具備して無線私設ネットワークサービス可能領域であることを音声で案内してもよい。
【００８３】
　本発明の他の実施形態に従うＭＳは振動部を具備し、無線私設ネットワーク進入時に私設移動通信システムからのメッセージに従って着信通知を振動モードに変換してもいい。
【００８４】
　図５は、本発明の一実施形態によってＭＳが私設移動通信ネットワークに進入する場合の制御過程を示したフローチャートである。
【００８５】
　図２及び図５を参照すれば、ＭＳ４０は私設移動通信ネットワークに進入すると、段階２０２(SYSTEM PARAMETER MESSAGE RECEIVED?)で、私設移動通信システムがブロードキャスティングしたシステムパラメータメッセージを受信する。ＭＳ４０はシステムパラメータメッセージを用いて段階２０４(PRIVATE WIRELESS NETWORK SERVICE AREA DETERMINATION)で無線私設ネットワークサービス領域にいることを判断する。次いで、ＭＳ４０は、段階２０６(LOCATION REGISTRATION MESSAGE TRANSMISSION FOR PRIVATE WIRELESS NETWORK SERVICE)で、私設移動通信システムに無線私設ネットワークサービスのための位置登録メッセージを転送する。
【００８６】
　私設移動通信システムがＭＳから転送された位置登録メッセージを利用して該当加入者が無線私設ネットワークに登録されているか判断しＦＮＭを送信すると、ＭＳ４０は段階２０８(FNM RECEIVED?)でＦＮＭを受信したか検査する。ＭＳ４０はＦＮＭを受信した場合、段階２１０(PRIVATE WIRELESS NETWORK SERVICE AREA DISPLAY)に進んでＭＳの使用者に現在位置が無線私設ネットワークサービス領域であることを知らせる。前述したように、ＭＳ４０は、アイコン表示、音声案内、文字表示などの様々な方式で使用者に無線私設ネットワーク領域内にいることを知らせることができる。
【００８７】
　一方、ＭＳ４０が、私設移動通信ネットワーク領域７０を離れると、公衆ネットワーク移動通信システムからシステムパラメータメッセージを受信する。該システムパラメータメッセージは公衆ネットワーク移動通信システムから発生したものであるため、無線私設ネットワークサービス領域であることを知らせる特定ビットはセットされていない。したがって、ＭＳ４０は公衆ネットワーク移動通信システムからシステムパラメータメッセージを受信すると、自分が公衆ネットワークサービス領域にいることを認識することができる。
【００８８】
　本発明は、コンピュータ読取可能媒体でコンピュータ実行可能な命令で具現可能である。コンピュータ読取可能媒体は、コンピュータ読取可能データが貯蔵または含まれるか、或いは、コンピュータまたは処理装置により読み取られるようなあらゆる形態のデータを含むあらゆる種類の媒体を含む。コンピュータ読取可能媒体は、例えば、磁気貯蔵媒体(例えば、ＲＯＭｓ、フロッピー（登録商標）ディスク、ハードディスクなど)、光読取媒体(例えば、ＣＤ−ＲＯＭｓ(compact disc-read-only memory)、ＤＶＤｓ(digital versatile discs)、光ディスクの書換可能バージョンなど)、ハイブリッド磁気光ディスク、有機(organic)ディスク、システムメモリ(読取専用メモリ、ランダムアクセスメモリ)、フラッシュメモリのような不活性メモリまたは他の活性または非活性メモリ、その他の半導体媒体、または電子媒体、電磁気媒体、赤外線及び搬送波(carrier waves)(インターネットまたは他のコンピュータを用いた通信)のような他の通信媒体を含み、これらに限定されない。通信媒体は、一般的にコンピュータ読取可能命令、データ構造、プログラムモジュールまたは搬送波のような変調された信号の他のデータまたは任意の情報伝達媒体を含む他の転送可能なメカニズムを具現する。通信媒体のようなコンピュータ読取可能媒体は、無線周波数のような無線媒体、赤外線マイクロ波及び有線ネットワークのような有線媒体を含む。また、コンピュータ読取可能媒体は、ネットワークを介して接続されたコンピュータに分配されたコンピュータ読取可能コードを貯蔵及び実行することができる。さらに、コンピュータ読取可能媒体は、処理システム(processing system)にある協調型(cooperating)または相互接続型(interconnected)コンピュータ読取可能媒体を含んだり、処理システムに対してローカルまたは遠隔位置に存在できるような多重処理システムに配置されることができる。本発明は、本発明の技術を表すデータを含む多数のフィールドを持つデータ構造をその表面上に貯蔵するコンピュータ読取可能媒体を含むことができる。
【００８９】
　本発明のコンピュータ実行可能命令を含むコンピュータ読取可能媒体を読取できるコンピュータの一例を図６に示すが、本発明はこれに限定されない。コンピュータ６００は、コンピュータ６００を制御するプロセッサ(中央処理装置)６０２を含む。プロセッサ６０２は、システムメモリ６０４及び任意のコンピュータ読取可能記録媒体を含むコンピュータ読取可能メモリ装置６０６を使用する。システムバスは、プロセッサ６０２を、ネットワークインターフェース６０８、モデム６１２、または、他のコンピュータやインターネットのようなネットワークへの接続に対応する他のインターフェースに接続する。また、このシステムは多様な装置への接続を容易にする入出力インターフェース６１０を含む。
【００９０】
　このように、本発明は、ＭＳが移動通信システム内の特定区域に進入する場合に、これを使用者に知らせ、使用者が容易に無線私設ネットワークサービスを利用できるように構成されている。
【００９１】
　前述の説明では、ＭＳが公衆移動通信ネットワークから特定の領域または建物によって制限された私設ネットワークに移動する場合を具体的な実施形態に基づいて説明したが、本発明の範囲を外れない限度内で様々な変形、例えば、ＭＳが公衆移動通信ネットワーク内で公衆ネットワークサービスと区別されるサービスを提供する特定区域内に移動する場合にも適用可能であるとは勿論である。したがって、本発明の範囲は前述の実施形態に限定されてはならず、特許請求の範囲および特許請求の範囲と均等なものにより定められるべきである。
【図面の簡単な説明】
【００９２】
【図１】本発明の一実施形態に従う公衆用及び私設用移動通信サービスの概念を説明するためのネットワーク構成図。
【図２】本発明の一実施形態に従う私設用移動通信システムの公衆/私設通信サービス装置１２とｐＢＴＳ ８−ｋの具体的な構成を示す図。
【図３】本発明の一実施形態に従う公衆用及び私設用移動通信サービス可能システムにおいて、ＭＳが公衆用移動通信ネットワークから私設用移動通信ネットワークへ進入する場合、これを自動的にＭＳに知らせるための制御過程を示したフローチャート。
【図４】本発明の一実施形態に従うＭＳのブロック構成を示す図。
【図５】本発明の一実施形態に従うＭＳが私設移動通信ネットワークに進入する場合の制御過程を示したフローチャート。
【図６】本発明の一実施形態による技術を実行するためのコンピュータ実行可能命令を有するコンピュータ読出可能媒体を含むコンピュータの一例を示す図。
【符号の説明】
【００９３】
２−１〜２−ｎ　ＭＳＣ（移動交換局）
４−１〜４−ｎ　ＢＳＣ（基地局制御局）
６−１〜６−ｋ、８−１　ＢＴＳ（基地局）
８−２〜８−ｋ　ｐＢＴＳ（私設基地局）
１０　ＨＬＲ/ＶＬＲ（ホーム位置登録器/訪問者位置登録器）
１２　公衆/私設通信サービス装置
１４　公衆/私設共有セル領域
１５　公衆専用セル領域
１６　ＰＳＴＮ/ＩＳＤＮ
１８　ＩＰネットワーク
２０，２２，２４，４０　ＭＳ（移動通信端末機）
３０　ｐＨＬＲ（私設ホーム位置登録器）
５０　ｐＢＳＣ/ｐＭＳＣ（私設基地局制御局/私設移動交換局）
５２　ＢＴＭＲ
５４　ｐＭＳＣ
７０　私設移動通信ネットワーク領域
３００　ＲＦ部
３２０　インターフェース部
３４０　制御部
３６０　表示部
３８０　メモリ
６００　コンピュータ
６０２　プロセッサ
６０４　システムメモリ
６０６　コンピュータ読取可能メモリ装置
６０８　ネットワークインターフェース
６１０　入出力インターフェース
６１２　モデム
【図１】
2004104804.tif 000007
【図２】
2004104804.tif 000008
【図３】
2004104804.tif 000009
【図４】
2004104804.tif 000010
【図５】
2004104804.tif 000011
【図６】
2004104804.tif 000012